(57)【要約】【課題】  複数の記録媒体収納部を最小限の厚紙枚数で効率的に実現でき、製本が容易であるとともに、大きく開いても背部で破れたり剥がれてしまうことがなく、丈夫であるに加え、記録媒体収納用の厚紙でもって必要な印刷ページも有効に確保できる記録媒体収納ブックを提供する。【解決手段】  厚紙に収納孔１を形成した中間台紙Ａと、厚紙を２つ折りしてその片側の半分を孔無し半部Ｂ１、反対側の半分を、収納孔１よりも小さい窓孔２を有する孔付き半部Ｂ２とした折丁Ｂとからなり、収納孔１と窓孔２とを合致させて折丁Ｂの孔付き半部Ｂ２の裏面に中間台紙Ａの表面を貼付し、更にこの中間台紙Ａの裏面に次の折丁Ｂの孔無し半部Ｂ１の裏面を貼付して製本し、互いの折丁の孔付き半部と孔無し半部との間に、窓孔２が出し入れ口となる収納孔１による偏平な記録媒体収納部を形成する。【選択図】  図５
0003101938.tif 000002
【実用新案登録請求の範囲】
【請求項１】
厚紙に収納孔を形成した中間台紙と、厚紙を２つ折りしてその片側の半分を孔無し半部、反対側の半分を、前記収納孔よりも小さい窓孔を有する孔付き半部とした折丁とからなり、前記収納孔と窓孔とを合致させて折丁の孔付き半部の裏面に中間台紙の表面を貼付し、更にこの中間台紙の裏面に次の折丁の孔無し半部の裏面を貼付して製本し、互いの折丁の孔付き半部と孔無し半部との間に、前記窓孔が出し入れ口となる前記収納孔による偏平な記録媒体収納部を形成したことを特徴とする記録媒体収納ブック。
【請求項２】
収納孔は円形孔で、窓孔は円が欠けた欠円形孔となっていることを特徴とする請求項１に記載の記録媒体収納ブック。
【請求項３】
欠円形孔である窓孔の半径は円形孔である収納孔の半径よりも僅かに小さく、重ね合わせた両者の周縁の間に、記録媒体収納部に収納される記録媒体の周縁が引き掛かる周縁段部が形成されていることを特徴とする請求項２に記載の記録媒体収納ブック。
【請求項４】
収納孔は矩形孔で、窓孔は収納孔と幅員が同じで長さが短い孔となっており、重ね合わせた両者の下辺縁の間に、記録媒体収納部に収納される記録媒体の下辺縁部が引き掛かる下縁段部が形成されていることを特徴とする請求項１に記載の記録媒体収納ブック。
【請求項５】
窓孔の左右両辺縁に、記録媒体の左右辺縁部が引き掛かる突部が形成されていることを特徴とする請求項４に記載の記録媒体収納ブック。
【請求項６】
一枚の折丁の孔付き半部の裏面に一枚の中間台紙の表面を貼付したものを一冊子として、その複数を順次重ねて製本したことを特徴とする請求項１ないし５のいずれかに記載の記録媒体収納ブック。
【請求項７】
厚紙を折曲して表扉部と背部と裏扉部とを形成した扉紙に対し、第１番の冊子の折丁を表扉部に、最終番の冊子の折丁を裏扉部にそれぞれ貼付して扉紙と共に製本したことを特徴とする請求項６に記載の記録媒体収納ブック。
【請求項８】
収納孔の一部分から突出する凹部と、窓孔の一部分から突出する凹部とを互いに一致させ、記録媒体収納部のための指入れ凹部を形成したことを特徴とする請求項１ないし７のいずれかに記載の記録媒体収納ブック。
【考案の詳細な説明】
【技術分野】
【０００１】
本考案は、ＣＤ、ＤＶＤ、ＣＤ−ＲＯＭ等の円盤状の記録媒体や、ＩＣカード、メモリカード等の矩形の記録媒体を着脱自在に収納できるブック形式の記録媒体収納ブックに関する。
【背景技術】
【０００２】
従来、円盤状の記録ディスクを収納するため、円形孔を形成した厚紙と、その円形孔に対し円が欠けた欠円形孔を有する厚紙とを重ね合わせて、偏平な円形の記録媒体収納部を有する一枚の収納台紙（収納ホルダ）とし、これを製本したものとして、例えば特許文献１（実用新案登録第３０７９８３７号公報）に記載された記録媒体収納ホルダ付き絵本がある。
【０００３】
この記録媒体収納ホルダ付き絵本では、記録媒体収納部となる円形の抜き穴及び爪先挿入用の切欠き部を形成した板紙芯材と、開封用の半円状破断線及び爪先挿入用の切欠き部を形成した表蓋用板紙と、裏蓋用板紙とを重合貼着して一枚のディスクを収納できる一台の記録媒体収納ホルダとし、これをホルダ用厚紙を用いて本文用厚紙と共に製本している。
【０００４】
すなわち、記録媒体収納ホルダの厚さに対応する幅の背部と、背部の幅方向の両端に折り曲げ可能に連接された一対の平片を有するホルダ用厚紙内の一方の平片に記録媒体収納ホルダを貼り合わせる。二つ折りにした各本文用厚紙の背を互いに揃えて重ね合わせるとともに、隣接する各本文用厚紙の非印刷面同士を貼り合わせる。この本文の厚さ方向の一方の本文用厚紙にホルダ用厚紙の平片を貼り合わせ、このホルダ用厚紙の平片と表紙の裏平部とを貼り合わせ、さらに、本文の厚さ方向の他方の本文用厚紙と表紙の表平部とを貼り合わせて製本したものである。
【０００５】
しかし、これによると、一台の記録媒体収納ホルダにつき、その表裏の台紙となるホルダ用厚紙を用いて製本しているため、製本工程が多くなるとととに、ホルダ用厚紙の分だけ厚くなり、めくって記録媒体収納ホルダを大きく開くと、その背部で破れたり剥がれてしまう等の問題がある。ディスクの収納枚数を複数とするため、その枚数分の記録媒体収納ホルダを製本すると、ホルダ用厚紙もその枚数分必要であるため、このような問題がますます顕著になる。
【特許文献１】実用新案登録第３０７９８３７号公報
【考案の開示】
【考案が解決しようとする課題】
【０００６】
本考案の課題は、従来における上記のようなホルダ用厚紙が不要で、複数の記録媒体収納部を最小限の厚紙枚数で効率的に実現でき、製本が容易であるとともに、大きく開いても背部で破れたり剥がれてしまうことがなく、丈夫であるに加え、記録媒体収納用の厚紙でもって必要な印刷ページも有効に確保できる記録媒体収納ブックを提供することにある。
【課題を解決するための手段】
【０００７】
本考案の記録媒体収納ブックは、厚紙に収納孔を形成した中間台紙と、厚紙を２つ折りしてその片側の半分を孔無し半部、反対側の半分を、収納孔よりも小さい窓孔を有する孔付き半部とした折丁とからなり、収納孔と窓孔とを合致させて折丁の孔付き半部の裏面に中間台紙の表面を貼付し、更にこの中間台紙の裏面に次の折丁の孔無し半部の裏面を貼付して製本し、互いの折丁の孔付き半部と孔無し半部との間に、窓孔が出し入れ口となる収納孔による偏平な記録媒体収納部を形成したことを特徴とする。
【０００８】
ＣＤやＤＶＤやＣＤ−ＲＯＭ等の円盤状の記録媒体（記録ディスク）を収納する場合には、収納孔は円形孔で、窓孔は円が欠けた欠円形孔とする。その場合、欠円形孔である窓孔の半径を円形孔である収納孔の半径よりも僅かに小さくすれば、重ね合わせた両者の周縁の間に、記録媒体収納部に収納される記録媒体の周縁が引き掛かる周縁段部を形成することができる。
【０００９】
ＩＣカードやメモリカード等の矩形の記録媒体を収納する場合、収納孔は矩形孔、窓孔は収納孔と幅員が同じで長さが短い孔として、重ね合わせた両者の下辺縁の間に、記録媒体収納部に収納される記録媒体の下辺縁部が引き掛かる下縁段部が形成されるようにする。この場合、窓孔の左右両辺縁に、記録媒体の左右辺縁部が引き掛かる突部を形成するとよい。
【００１０】
一枚の折丁の孔付き半部の裏面に一枚の中間台紙の表面を貼付したものを一冊子として、その複数を順次重ねて製本した形態にするとよい。
【００１１】
厚紙を折曲して表扉部と背部と裏扉部とを形成した扉紙に対し、第１番の冊子の折丁を表扉部に、最終番の冊子の折丁を裏扉部にそれぞれ貼付して扉紙と共に製本すると、扉付きブック形態にすることができる。
【００１２】
また、収納孔の一部分から突出する凹部と、窓孔の一部分から突出する凹部とを互いに一致させ、記録媒体収納部のための指入れ凹部を形成した形態にするとよい。
【考案の効果】
【００１３】
本考案によれば、中間台紙となる厚紙と折丁となる厚紙の２枚の厚紙で、記録媒体収納部を形成できるとともに、折丁となる厚紙同士を直接貼付してそのまま製本することで複数の記録媒体を収納できるブックとなり、しかもその折丁の孔無し半部を印刷ページ（収納する記録媒体の記録内容を解説した文章や絵等を印刷）として利用できる。
【考案を実施するための最良の形態】
【００１４】
次に、本考案の実施例を図面に基づいて詳細に説明する。
【実施例１】
【００１５】
実施例１は、ＣＤやＤＶＤやＣＤ−ＲＯＭ等の円盤状の記録媒体（記録ディスク）を収納する形態としたもので、図１及び図２に示すように、縦長矩形の厚紙に円形の収納孔１を形成した中間台紙Ａと、横長矩形の厚紙を２つ折りしてその片側の半分を孔無し半部Ｂ１、反対側の半分を、円が欠けた欠円形の窓孔２を有する孔付き半部Ｂ２とした折丁Ｂとを用いる。
【００１６】
中間台紙Ａは、その収納孔１が、後述のようにＣＤやＤＶＤやＣＤ−ＲＯＭ等の記録媒体を着脱自在に収納する記録媒体収納部となることから、このような記録媒体の厚さに応じた厚さにする必要があるが、折丁Ｂの厚さについては特に限定はない。しかし、同じ厚さにすれば、同じ厚紙で製作できるので経済的である。
【００１７】
中間台紙Ａの円形の収納孔１と折丁Ｂの欠円形の窓孔２には、それらの中心から見て約４５度のところに円弧形の凹部１ａ・２ｂが突出形成されている。これらの凹部１ａ・２ａは同じ大きさであるが、窓孔２の半径は中間台紙Ａの収納孔１の半径よりも僅かに小さい。窓孔２の底辺縁２ｂはデザインを良くするため、曲線になっている。
【００１８】
このような一枚の中間台紙Ａと一枚の折丁Ｂとを図３及び図４に示すように貼り合わせて、つまり収納孔１と窓孔２、及び凹部１ａと２ａを合致させて、折丁Ｂの孔付き半部Ｂ２の裏面に中間台紙Ａの表面を貼付し、一台の媒体収納冊子Ｃを構成する。この媒体収納冊子Ｃの複数台を図５ないし図６に示すように順次重ねて貼り合わせる。
【００１９】
すなわち、第１番目の媒体収納冊子Ｃの孔付き半部Ｂ２に貼付されている中間台紙Ａの裏面に、第２番目の媒体収納冊子Ｃの孔無し半部Ｂ１の裏面を貼付し、以下同様の貼付を必要台数だけ繰り返す。なお、図５ないし図７では、媒体収納冊子Ｃの折丁Ｂを半開き状態にして示しているが、媒体収納冊子Ｃ同士の貼り合わせ作業は、実際には、折り畳んだ状態で上下に重ね合わせながら行う。
【００２０】
これにより媒体収納冊子Ｃ同士は、互いの折丁Ｂの孔付き半部Ｂ２と孔無し半部Ｂ１が中間台紙Ａを挟んで貼り合わせられた状態となるので、窓孔２が出し入れ口となる収納孔１による偏平な円形の記録媒体収納部３が形成され、中間台紙Ａに貼付された孔無し半部Ｂ１がこの記録媒体収納部３の底部、合致した凹部１ａ・２ｂがこの記録媒体収納部３のための指入れ凹部４となる。
【００２１】
従って、図８及び図９に示すように、窓孔２を出し入れ口として、収納孔１による記録媒体収納部３に円盤状の記録媒体Ｄを着脱自在に収納することができる。その出し入れの際、指入れ凹部４に指を入れて着脱を容易に行える。
【００２２】
折丁Ｂの孔無し半部Ｂ１の表面は、そのまま露呈するため、ここに、記録媒体Ｄの記録内容を解説した文章や絵等を印刷できる。
【００２３】
上記のように、窓孔２の半径は収納孔１の半径よりも僅かに小さいので、図６に示すように、重ね合わせた窓孔２の周縁と収納孔１の周縁との間に、円盤状の記録媒体Ｄの周縁が引き掛かる周縁段部５が形成されるため、出し入れ口（窓孔２）をフィルム等で覆わなくとも、記録媒体Ｄは記録媒体収納部３から脱落しない。
【００２４】
本考案は、複数台の媒体収納冊子Ｃを上記のように重ね合わるだけの製本で、複数枚の記録媒体Ｄを収納できるブック形式にできるが、扉付きブック形態とすることも容易に可能である。
【００２５】
図１０ないし図１２は扉付きとした例で、厚紙を折曲して表扉部Ｅ１と背部Ｅ２と裏扉部Ｅ３とを一体に形成した扉紙Ｅに対し、第１番の媒体収納冊子Ｃの折丁Ｂの孔無し半部Ｂ１の裏面を表扉部Ｅ１に、最終番の媒体収納冊子Ｃの折丁Ｂの孔付き半部Ｂ２の裏面を裏扉部Ｅ３にそれぞれ貼付して扉紙Ｅと共に製本したものである。扉及び各ページを開き易くするため、扉紙Ｅの背部Ｅ２とその近くの表裏の所要部分に対しては、貼り付けることなくフリーにしてある。また、貼り合わせた媒体収納冊子Ｃの背部には補強用の背布Ｆを付着してある。
【実施例２】
【００２６】
実施例２は、ＩＣカードやメモリカード等の矩形の記録媒体を収納する形態としたもので、図１３に示すように、矩形の厚紙に矩形の収納孔１１を形成した中間台紙Ｇと、横長矩形の厚紙を２つ折りしてその片側の半分を孔無し半部Ｈ１、反対側の半分を、収納孔１１よりも長さが短い矩形の窓孔１２を有する孔付き半部Ｈ２とした折丁Ｈとを用いる。
【００２７】
中間台紙Ｇの収納孔１１の上辺縁の中間と折丁Ｈの窓孔１２の上辺縁の中間とには、円弧形の凹部１１ａ・１２ｂが突出形成され、窓孔１２の左右辺縁の中間には円弧形の突部１２ｂ・１２ｂが突出形成されている。
【００２８】
このような一枚の中間台紙Ｇと一枚の折丁Ｈとを貼り合わせて、つまり収納孔１１と窓孔１２、及び凹部１１ａと１２ａを合致させて、折丁Ｈの孔付き半部Ｈ２の裏面に中間台紙Ｇの表面を貼付し、一台の媒体収納冊子Ｉを構成する。そして、この媒体収納冊子Ｉの複数台を順次重ねて貼り合わせる。
【００２９】
すなわち、第１番目の媒体収納冊子Ｉの孔付き半部Ｈ２に貼付されている中間台紙Ｇの裏面に、第２番目の媒体収納冊子Ｉの孔無し半部Ｈ１の裏面を貼付し、以下同様の貼付を必要台数だけ繰り返す。
【００３０】
これにより媒体収納冊子Ｉ同士は、互いの折丁Ｆの孔付き半部Ｈ２と孔無し半部Ｈ１が中間台紙Ｇを挟んで貼り合わせられた状態となるので、窓孔１２が出し入れ口となる収納孔１１による偏平な矩形の記録媒体収納部１３が形成され、中間台紙Ｅに貼付された孔無し半部Ｈ１がこの記録媒体収納部１３の底部、合致した凹部１１ａ・１２ｂがこの記録媒体収納部１３のための指入れ凹部１４となる。
【００３１】
従って、図１４及び図１５に示すように、窓孔１２を出し入れ口として、収納孔１１による記録媒体収納部１３に、矩形の記録媒体Ｊを図１６及び図１７〜図１９に示すように着脱自在に収納することができる。その出し入れの際、指入れ凹部１４に指を入れて着脱を容易に行える。
【００３２】
折丁Ｆの孔無し半部Ｈ１の表面は、そのまま露呈するため、ここに、記録媒体Ｊの記録内容を解説した文章や絵等を印刷できる。
【００３３】
上記のように、窓孔１２の長さは収納孔１１の長さよりも短いので、重ね合わせた窓孔１２の下辺縁と収納孔１１の下辺縁との間に、矩形の記録媒体Ｈの下辺縁部が引き掛かる下縁段部１５が形成され、しかも窓孔１２の左右の突部１２ｂに記録媒体Ｊの左右辺縁部が引き掛かるため、出し入れ口（窓孔１２）をフィルム等で覆わなくとも、記録媒体Ｊは記録媒体収納部１３から脱落しない。
【００３４】
上記では、窓孔１２を収納孔１１よりも短い矩形としたが、図２０に示すように、窓孔１２の下辺縁１２ｃを円弧形にすればデザインがよくなる。また、図２１に示すように、窓孔１２と収納孔１１との長さの差を大きくして、下縁段部１５の面積を大きくしたり、図２２に示すように、窓孔１２の下辺縁１２ｃを台形にして下縁段部１５の面積を大きくすれば、窓孔１２の左右の突部１２ｂを省略することが可能である。
【産業上の利用可能性】
【００３５】
実施例１では、円盤状の記録媒体Ｄを収納する記録媒体収納部３を１ページ面に１個形成し、実施例２では、矩形の記録媒体Ｊを収納する記録媒体収納部１３を１ページ面に１個形成したが、１ページ面に２個以上形成してもよい。
【図面の簡単な説明】
【００３６】
【図１】本考案の実施例１において用いる中間台紙と折丁の斜視図である。
【図２】その平面図である。
【図３】中間台紙と折丁を貼り合わせて一台の媒体収納冊子とした斜視図である。
【図４】その平面図である。
【図５】媒体収納冊子同士を貼り合わせて製本することを示す斜視図である。
【図６】その断面図である。
【図７】媒体収納冊子の台数を増やした図５と同様の斜視図である。
【図８】媒体収納冊子同士を貼り合わせることにより形成された記録媒体収納部の断面図で、記録媒体の収納途中の状態を鎖線で示す。
【図９】同様の断面図で、記録媒体の収納後の状態を鎖線で示す。
【図１０】扉付きブック形態とした場合の斜視図である。
【図１１】その上面図である。
【図１２】その断面図である。
【図１３】本考案の実施例２において用いる中間台紙と折丁の斜視図である。
【図１４】実施例２を扉付きブック形態とした場合の平面図である。
【図１５】実施例２における記録媒体収納部の断面図である。
【図１６】その記録媒体収納部に矩形の記録媒体を収納した状態の断面図である。
【図１７】矩形の記録媒体を収納する直前状態の斜視図である。
【図１８】収納途中の斜視図である。
【図１９】収納完了後の斜視図である。
【図２０】実施例２における窓孔の変形例を示す平面図である。
【図２１】実施例２における窓孔の他の変形例を示す平面図である。
【図２２】実施例２における窓孔の更に他の変形例を示す平面図である。
【符号の説明】
【００３７】
Ａ  中間台紙
１  収納孔
１ａ  凹部
Ｂ  折丁
Ｂ１  孔無し半部
Ｂ２  孔付き半部
２  窓孔
２ｂ  凹部
２ｂ  底辺縁
Ｃ  媒体収納冊子
３  記録媒体収納部
４  指入れ凹部
５  周縁段部
Ｄ  記録媒体
Ｅ  扉紙
Ｅ１  表扉部
Ｅ２  背部
Ｅ３  裏扉部
Ｆ  背布
Ｇ  中間台紙
Ｈ  折丁
Ｈ１  孔無し半部
Ｈ２  孔付き半部
Ｉ  媒体収納冊子
Ｊ  矩形の記録媒体
１１  収納孔
１２  窓孔
１１ａ・１２ｂ  凹部
１２ｂ・１２ｂ  突部
１２ｃ  下辺縁
１３  記録媒体収納部
１４  指入れ凹部
１５  下縁段部
【図１】
0003101938.tif 000003
【図２】
0003101938.tif 000004
【図３】
0003101938.tif 000005
【図４】
0003101938.tif 000006
【図５】
0003101938.tif 000007
【図６】
0003101938.tif 000008
【図７】
0003101938.tif 000009
【図８】
0003101938.tif 000010
【図９】
0003101938.tif 000011
【図１０】
0003101938.tif 000012
【図１１】
0003101938.tif 000013
【図１２】
0003101938.tif 000014
【図１３】
0003101938.tif 000015
【図１４】
0003101938.tif 000016
【図１５】
0003101938.tif 000017
【図１６】
0003101938.tif 000018
【図１７】
0003101938.tif 000019
【図１８】
0003101938.tif 000020
【図１９】
0003101938.tif 000021
【図２０】
0003101938.tif 000022
【図２１】
0003101938.tif 000023
【図２２】
0003101938.tif 000024